(57)【要約】      （修正有）【課題】ＬＥＤライト光を更に均一化する効果を備えるＬＥＤライトのライトカバー構造を提供する。【解決手段】ＬＥＤライト２２のライトカバー２３構造は、主にライトカバーの内面に複数本の凸条２４を設置し、凸条の両側面は円弧面を形成し、中央面は平面を形成する。更にライトカバーは二酸化チタン（ＴｉＯ２）、二酸化ケイ素（ＳｉＯ２）を混合し、凸条及び円弧面によって、光源が各凸条を投射することで光が拡大し、輝度を平均化する効果を達成する。また二酸化チタン（ＴｉＯ２）、二酸化ケイ素（ＳｉＯ２）によって、グレアを消去し、発光角度を広げる。【選択図】図４
0003162824.tif 000002
【実用新案登録請求の範囲】
【請求項１】
ライト台内に回路板を設置し、回路板は複数個のLEDライトを備え、ライトカバーでLEDライトを覆って設置し、ライトカバーの内面には複数本の凸条を設置するLEDライトのライトカバー構造において、
ライトカバーの凸条の両側面には円弧面を設置し、両側円弧面間の中央面には平面を設置することを特徴とするLEDライトのライトカバー構造。
【請求項２】
前記ライトカバーは、樹脂材で成型し、それは二酸化チタン(TiO２)混合樹脂材を設置して一体成型することを特徴とする請求項１記載のLEDライトのライトカバー構造。
【請求項３】
前記ライトカバーは、樹脂材で成型し、それは二酸化ケイ素(SiO２)混合樹脂材を設置して一体成型することを特徴とする請求項１記載のLEDライトのライトカバー構造。
【請求項４】
前記ライトカバーは、両側の円弧面に波形状の波型円弧凸面を設置してもよいことを特徴とする請求項１記載のLEDライトのライトカバー構造。
【考案の詳細な説明】
【技術分野】
【０００１】
本考案は、LEDライトのライトカバー構造に関するもので、特にLEDライトのライトカバーによって更に光線を均一化する効果を備える。
【背景技術】
【０００２】
公知のLEDライト構造は、およそ、図１、２、３に示すとおり、ライト台１０に回路板１１を設置し、回路板１１は複数個のLEDライト１２を備え、ライトカバー１３で覆う。ライトカバー１３の内面には複数本の凸条１４を備え、凸条は円弧凸面１４０を設置する。円弧凸面１４０の凸条１４によって、上述構造には下述の欠点が存在する。ライトカバー１３の円弧凸面１４０の凸条１４は「ショート光線条W」が形成される。
【先行技術文献】
【特許文献】
【０００３】
【特許文献１】登録実用新案第３１４５１７４号
【考案の概要】
【考案が解決しようとする課題】
【０００４】
解決しようとする問題点は、図３に示すとおり、ライト管には「多節環状光線が不均衡になる」という現象が発生し、被照射物には多重の陰影、俗に言う「ゴースト」が発生し、且つグレアの発生及び輝度の不均衡が発生する点である。
【課題を解決するための手段】
【０００５】
本考案は、主にライトカバーの内面に複数本の凸条を設置し、凸条の両側面は円弧面を形成し、中央面は平面を形成する。更にライトカバーは二酸化チタン(TiO２)、二酸化ケイ素(SiO２)を混合し、凸条及び円弧面によって、光源が各凸条を投射することで光が拡大し、輝度を平均化する効果を達成する。また二酸化チタン(TiO２)、二酸化ケイ素(SiO２)によって、グレアを消去し、発光角度を広げることを最も主要な特徴とする。
本考案は下記の特徴を有する。 （１）ライト台内に回路板を設置し、回路板は複数個のLEDライトを備え、ライトカバーでLEDライトを覆って設置し、ライトカバーの内面には複数本の凸条を設置するLEDライトのライトカバー構造において、
ライトカバーの凸条の両側面には円弧面を設置し、両側円弧面間の中央面には平面を設置することを特徴とするLEDライトのライトカバー構造。
（２）前記ライトカバーは、樹脂材で成型し、それは二酸化チタン(TiO２)混合樹脂材を設置して一体成型することを特徴とする（１）記載のLEDライトのライトカバー構造。
（３）前記ライトカバーは、樹脂材で成型し、それは二酸化ケイ素(SiO２)混合樹脂材を設置して一体成型することを特徴とする（１）記載のLEDライトのライトカバー構造。
（４）前記ライトカバーは、両側の円弧面に波形状の波型円弧凸面を設置してもよいことを特徴とする（１）記載のLEDライトのライトカバー構造。
【考案の効果】
【０００６】
本考案のLEDライトのライトカバー構造は、LEDライト光を更に均一化する効果を備えるという利点がある。
【図面の簡単な説明】
【０００７】
【図１】公知の立体分解図である。
【図２】公知の組立断面図である。
【図３】公知の光線効果指示図である。
【図４】本考案の立体分解図である。
【図５】本考案の組立断面図である。
【図６】本考案の局部断面拡大図である。
【図７】本考案の光線効果指示図である。
【図８】本考案の凸条周辺設成波型円弧凸面実施例図である
【考案を実施するための形態】
【０００８】
本考案は、上述公知の「多節環状光線」の問題を改善する。主な技術、目的として、一つは、ライトカバー内面の複数本の凸条の側辺に弧凸面を形成し、中央面は平面を形成する。円弧面凸条、平面凸条によって、「放大光源を拡大して輝度を高める」効果を得る。二つ目は，ライトカバーを成型する時、二酸化チタン(TiO２)、二酸化ケイ素(SiO２)の混合樹脂材を設置して一体成型する。二酸化チタン(TiO２)、二酸化ケイ素(SiO２)によって、グレアを消去し、発光角度を広げて輝度の均衡を高める。
【実施例１】
【０００９】
図４、５、６、７に示すとおり、ライト台２０には回路板２１を設置する。回路板２１には複数個のLEDライト２２を備え、ライトカバー２３を設置してLEDライト２２を覆い、ライトカバー２３内面には複数本の凸条２４を設置する。主な特徴として、ライトカバー２３の凸条２４両側面は円弧面２４０を設置し、両側円弧面２４０間の中央面は平面２４１を設置し、またライトカバー２３は樹脂材で成型し、それは二酸化チタン(TiO２)混合材を設置して一体成型するが、二酸化ケイ素(SiO２)を採用しても良い。
【００１０】
上述構造のとおり、下述の効果を備える。図６、７に示すとおり、ライトカバー２３の各凸条２４及びその両側の円弧面２４０は、光源を拡大する効果を備える。しかし、凸条２４の中央面は平面２４１、つまり円弧凸面ではないため、光線を過度に集中させず、分散する効果を備える。そのため、各LEDライト２２の光線を分散させ、公知の光線が集中して「ライト管がいくつもの環状光線を呈す」という問題を発生させず、図７に示すとおり、「光線の均一化」効果をもたらす。
【００１１】
また、ライトカバー２３は、二酸化チタン(TiO２)、二酸化ケイ素(SiO２)を混合し、光線を反射する作用を備える。そのため、グレアを消去し、発光角度を広げる効果を備え、LEDライト２２の光線を高め、輝度を高めて分散化させる効果を備える。
【００１２】
他に、上述の技術手段によって、本考案は、ライトカバー２３の凸条２４を図８のように設置してもよい。その凸条２４両側面には波形状の波型円弧凸面２４２を設置し、中央面には平面２４１を設置する。波型円弧凸面２４２によって光点プリズムの角度が変わり、ライト管全体の輝度を更に均一化する効果を備える。
【００１３】
上述のとおり、本考案の構造は、良好な実用性を高め、実用新案の要件に符合するため、申請する。
【符号の説明】
【００１４】
１０        ライト台
１１        回路板
１２        LEDライト
１３        ライトカバー
１４        凸条
１４０        円弧凸面
２０        ライト台
２１        回路板
２２        LEDライト
２３        ライトカバー
２４        凸条
２４０        円弧面
２４１        平面
２４２        波型円弧凸面
Ｗ        ショート光線条
Ｈ        光の拡散
【図１】
0003162824.tif 000003
【図２】
0003162824.tif 000004
【図３】
0003162824.tif 000005
【図４】
0003162824.tif 000006
【図５】
0003162824.tif 000007
【図６】
0003162824.tif 000008
【図７】
0003162824.tif 000009
【図８】
0003162824.tif 000010